(57)【要約】【課題】構造が簡単になって、部品の点数を減少させることができる電気コネクタを提供する。【解決手段】電気コネクタは、相手コネクタが挿入される収容空間を有する絶縁本体と、前記絶縁本体に収容され、主体部、前記主体部の一端から前記収容空間までに延出する接触部及び前記主体部の他端から延出する半田部を備える端子と、前記絶縁本体に装着され、光源を収容する基部及び前記基部に連接する連接アームを備える表示部と、を含み、前記表示部の連接アームは位置決め部を有して、前記絶縁本体に前記位置決め部を収容するための固持溝が形成される。【選択図】図３
2012054233.tif 000002
【特許請求の範囲】
【請求項１】
相手コネクタが挿入される収容空間を有する絶縁本体と、
前記絶縁本体に収容され、主体部と、前記主体部の一端から前記収容空間に延出する接触部と、前記主体部の他端から延出する半田部と、を備える端子と、
前記絶縁本体に装着され、光源を収容する基部と、前記基部に連接する連接アームとを備える表示部と、を含む電気コネクタにおいて、
前記表示部の連接アームが位置決め部を有して、前記絶縁本体に前記位置決め部を収容するための固持溝が形成されることを特徴とする電気コネクタ。
【請求項２】
前記位置決め部がＬ字形状であり、前記固持溝がＬ字形状であることを特徴とする請求項１に記載の電気コネクタ。
【請求項３】
前記絶縁本体の前記固持溝には凸部と突起とが離間して設けられることを特徴とする請求項１又は２に記載の電気コネクタ。
【請求項４】
前記連接アームは、前記基部にそれぞれ連接する第一連接アームと第二連接アームとを含み、
前記位置決め部が前記第二連接アームに形成され、前記凸部が前記第一連接アームと前記第二連接アームとの間に配置されることを特徴とする請求項３に記載の電気コネクタ。
【請求項５】
前記第二連接アームに凹部が折れ曲がって形成され、前記突起が前記第二連接アームの凹部に収容されることを特徴とする請求項４に記載の電気コネクタ。
【発明の詳細な説明】
【技術分野】
【０００１】
本発明は、コネクタに関して、特に、表示部が付いた電気コネクタに関する。
【背景技術】
【０００２】
従来技術による特許文献１を参照すると、従来の表示機能付電気コネクタは、絶縁本体と、絶縁本体に装着された複数の端子と、絶縁本体を覆った金属シェルと、絶縁本体の両側にそれぞれ実装された表示部とを含み、前記表示部に光源であるＬＥＤが収容されている。ＬＥＤは例えば、表示機能付電気コネクタが相手側コネクタに接続された際に、或いは表示機能付電気コネクタ及び相手側コネクタを通じて信号が流れている際等に発光する。ＬＥＤから発せられた光は絶縁本体の先端面から出射され、これにより、表示機能付電気コネクタと相手側コネクタとが接続されたことを検知したり、信号が流れていることを検知したりすることができる。
【先行技術文献】
【特許文献】
【０００３】
【特許文献１】中国実用新案公告ＣＮ２０１４３０２８９Ｙ号明細書
【発明の概要】
【発明が解決しようとする課題】
【０００４】
前記表示部が絶縁本体に実装される際に、絶縁本体に係合する保持部材により、表示部材は絶縁本体と保持部材との間に保持されている。しかしながら、前記保持部材は絶縁本体と分離するように配置されるので、電気コネクタの部品の点数が多く、電気コネクタの構造が複雑になり、製造コストが上昇する恐れがあった。したがって、新型の電気コネクタを開発することが必要である。
【０００５】
本発明は、係る点に鑑みてなされたものであり、構造が簡単になる電気コネクタを提供することを目的とする。
【課題を解決するための手段】
【０００６】
本発明の電気コネクタは、相手コネクタを挿入する収容空間を有する絶縁本体と、前記絶縁本体に収容され、主体部、前記主体部の一端から前記収容空間に延出する接触部及び前記主体部の他端から延出する半田部を備える端子と、前記絶縁本体に装着され、光源を収容する基部及び前記基部に連接する連接アームを備える表示部と、を含み、前記表示部の連接アームに位置決め部を有して、前記絶縁本体に前記位置決め部を収容するための固持溝が形成されることを特徴とする。
【発明の効果】
【０００７】
従来技術に比べ、本発明は以下の利点を有する。即ち、表示部の連接アームに位置決め部を有して、前記絶縁本体に前記位置決め部を収容するための固持溝が形成されるので、表示部を保持すると共に、電気コネクタの部品の点数を減少させることができる。
【図面の簡単な説明】
【０００８】
【図１】本発明に係る電気コネクタの組立斜視図である。
【図２】図１に示す電気コネクタの分解図である。
【図３】図２に示す電気コネクタの他の角度から見た分解図である。
【図４】本発明に係る電気コネクタの部分の組立斜視図である。
【図５】図１に示す電気コネクタがシェルを外した状態の右側面図である。
【発明を実施するための形態】
【０００９】
以下、図１乃至図５を参照しながら、本発明による電気コネクタ１００の実施形態を詳細に説明する。電気コネクタ１００は、絶縁本体１と、絶縁本体１に装着された端子モジュール２と、絶縁本体１に装着された表示部３と、絶縁本体１の外周を覆っている金属板からなるシェル４と、絶縁本体１に組み付けられた補強部材５と、を含む。
【００１０】
図２乃至図５を参照すると、絶縁本体１は、上壁１０と、上壁１０に対向する底壁１１と、上壁１０と底壁１１とを連接する両側壁１２とを含む。該絶縁本体１に、先端を貫通して相手コネクタが挿入される収容空間１３が形成され、該収容空間１３は絶縁本体１の後端壁を貫通し、また絶縁本体１の上壁１０に、収容空間１３と連通する上壁開口１４が形成され、底壁１１に端子モジュール２を収容するための取付孔１１０と、取付孔１１０に連通する端子孔１１１とが、底壁１１を貫通して形成され、該取付孔１１０が前記収容空間１３に連通するように配置される。
【００１１】
端子モジュール２が絶縁本体１の後端から絶縁本体１に装着され、この端子モジュール２は端子孔１１１に収容された複数の端子２０と、前記複数の端子２０と一体に成型されたベース２１とを含む。端子２０は、主体部２００と、主体部２００の一端から収容空間１３へ向かって折れ曲がっている、相手コネクタに接続するための接触部２０１と、主体部２００の他端から延出し、回路基板に接続される半田部２０２とを含む。ベース２１の両側に係合凸部２１０がそれぞれ突出するように形成され、絶縁本体１の側壁１２には係合凸部２１０に係合するための係合溝１２０が形成され、これにより、端子モジュール２が絶縁本体１に保持される。
【００１２】
表示部３は、絶縁本体１の先端面に露出するように絶縁本体１の両側壁１２に装着されており、光源であるＬＥＤを収容する絶縁材料からなる基部３０と、基部３０に連接する一対の連接アームとを備える。絶縁本体１の側壁１２の外側に、表示部３を収容するための溝部１２１が形成され、該溝部１２１は基部３０を収容するための受入溝１２２と、第一連接アーム３１及び第二連接アーム３２を収容するための保持溝１２３とを含み、受入溝１２２は絶縁本体１の先端面を貫通し、保持溝１２３は第一連接アーム３１を保持する第一保持溝１２４と、第二連接アーム３２を保持する第二保持溝１２５とを含む。
【００１３】
第二連接アーム３２はＬ字形状である位置決め部３２１を備え、第二保持溝１２５に前記位置決め部３２１を収容するための固持溝１２８が形成され、位置決め部３２１が固持溝１２８に保持されることにより、第二連接アーム３２が安定して絶縁本体１に保持されるとともに、構造が簡単になっている。絶縁本体１に、固持溝１２８の一側に配置される凸部１７と、固持溝１２８の他側に配置される突起１５とが形成され、凸部１７が第一連接アーム３１と第二連接アーム３２との間に配置され、前記突起１５が第二連接アーム３２の凹部３２０に収容されて、凹部３２０を支持する。前記位置決め部３２１と凹部３２０とが連接するように配置されるので、第二連接アーム３２は連続して折れ曲がって延出するように形成される。
【００１４】
絶縁本体１の上壁１０に、補強部材５を収容する収容部１０１が窪んで形成され、該補強部材５は金属板からなり、本体部５０と、本体部５０の両側から延出する弾性片５１と、本体部５０の先端に形成されるＴ字形状である開口５２とを備え、絶縁本体１の上壁１０に前記弾性片５１に係合するための孔１０２が設けられ、弾性片５１と孔１０２との間の係合により補強部材５が絶縁本体１に保持される。補強部材５に、前記開口５２の内部に延出して、上壁１０の上壁開口１４の上方に位置する延出片５３が設けられ、相手コネクタが収容空間１３に挿入される際、前記延出片５３が相手コネクタに係合することが可能であり、かつ補強部材５が金属板からなるので、延出片５３の摩耗を減少させることができる。
【００１５】
前記シェル４は、第一シェル４０と、第一シェル４０と係合するように形成された第二シェル４１とを含む。絶縁本体１の両側壁１２の外側に、複数の溝１２６と凸部１２７とが形成され、第一シェル４０から溝１２６と係合する第一弾片４０１が突出し、第一弾片４０１と溝１２６とが係合することにより、第一シェル４０が絶縁本体１に保持され、第二シェル４１には前記凸部１２７と係合する第一通孔４１０が設けられるので、第二シェル４１が絶縁本体１に保持される。前記第二シェル４１は、絶縁本体１の上壁１０と補強部材５とを覆うとともに、補強部材５の延出片５３に対応する箇所に補強弾性片４１２が形成されているので、延出片５３の強さを補強できる。
【００１６】
本発明に係る電気コネクタ１００の表示部３の基部３０は、絶縁本体１の受入溝１２２に収容されるだけで、絶縁本体１に干渉することはないので、装着する過程において表示部３の基部３０が損傷する危険を減少させることができ、また、第一連接アーム３１と第二連接アーム３２とが金属板からなるので、装着する過程において損傷する危険を減少させることができる。
【００１７】
以上本発明について最良の実施の形態を参照して詳細に説明したが、実施形態はあくまでも例示的なものであり、これらに限定されない。また上述の説明は、本発明に基づきなしうる細部の修正或いは変更など、いずれも本発明の請求範囲に属するものとする。
【符号の説明】
【００１８】
１００  電気コネクタ
１      絶縁本体
１２１  溝部
１２２  受入溝
１２３  保持溝
１２４  第一保持溝
１２５  第二保持溝
１２８  固持溝
１３    収容空間
１５    突起
１７    凸部
２      端子モジュール
２０    端子
２００  主体部
２０１  接触部
２０２  半田部
３      表示部
３０    基部
３１    第一連接アーム
３２    第二連接アーム
３２０  凹部
３２１  位置決め部
４      シェル
４１    第一シェル
４２    第二シェル
５      補強部材
【図１】
2012054233.tif 000003
【図２】
2012054233.tif 000004
【図３】
2012054233.tif 000005
【図４】
2012054233.tif 000006
【図５】
2012054233.tif 000007